(57)【特許請求の範囲】
【請求項１】
物体側より像側へ順に、正の屈折力の第１レンズ群、負の屈折力の第２レンズ群、正の屈折力の第３レンズ群、１以上のレンズ群を含む後群を有し、
広角端に比べて望遠端において、前記第１レンズ群は物体側に位置し、前記第２レンズ群は像側に位置し、ズーミングに際して隣り合うレンズ群の間隔が変化するズームレンズであって、
望遠端における前記第２レンズ群と前記第３レンズ群の間隔をＤｔ２３、広角端と望遠端における全系の焦点距離をそれぞれｆｗ、ｆｔ、前記第２レンズ群の焦点距離をｆ２、広角端から望遠端へのズーミングに際しての前記第２レンズ群の光軸方向の移動量をＭ２、前記第１レンズ群の焦点距離をｆ１とするとき、
Ｄｔ２３／√（ｆｗ×ｆｔ）＜０．０９
０．０１＜｜ｆ２｜／ｆｔ＜０．１０
−５．００＜Ｍ２／｜ｆ２｜＜−０．７０
１２．２４≦ｆ１／ｆｗ＜３５．００
なる条件式を満足することを特徴とするズームレンズ。
【請求項２】
広角端における前記第２レンズ群の横倍率をβ２ｗ、望遠端における前記第２レンズ群の横倍率をβ２ｔとするとき、
５．００＜β２ｔ／β２ｗ＜２０．００
なる条件式を満足することを特徴とする請求項１に記載のズームレンズ。
【請求項３】
各レンズ群の厚さの総和をＴｓｕｍとするとき、
Ｔｓｕｍ／ｆｔ＜０．５０
なる条件式を満足することを特徴とする請求項１又は２に記載のズームレンズ。
【請求項４】
前記第３レンズ群の焦点距離をｆ３とするとき、
０．３０＜｜ｆ２｜／ｆ３＜０．８０
なる条件式を満足することを特徴とする請求項１乃至３のいずれか１項に記載のズームレンズ。
【請求項５】
広角端から望遠端へのズーミングに際しての前記第１レンズ群の光軸方向の移動量をＭ１とするとき、
５．００＜Ｍ１／ｆｗ＜２５．００
なる条件式を満足することを特徴とする請求項１乃至４のいずれか１項に記載のズームレンズ。
【請求項６】
請求項１乃至５のいずれか１項に記載のズームレンズにおいて、
１５．００＜ｆｔ／ｆｗ＜１２０．００
なる条件式を満足することを特徴とするズームレンズ。
【請求項７】
前記第１レンズ群は、物体側から像側へ順に、負レンズ、正レンズ、正レンズを有することを特徴とする請求項１乃至６のいずれか１項に記載のズームレンズ。
【請求項８】
前記後群は、物体側から像側へ順に、負の屈折力の第４レンズ群、正の屈折力の第５レンズ群からなり、前記第４レンズ群と前記第５レンズ群はズーミングに際して移動することを特徴とする請求項１乃至７のいずれか１項のズームレンズ。
【請求項９】
前記後群は正の屈折力の第４レンズ群からなり、前記第４レンズ群はズーミングに際して移動することを特徴とする請求項１乃至７のいずれか１項のズームレンズ。
【請求項１０】
前記後群は、物体側から像側へ順に、正の屈折力の第４レンズ群、正の屈折力の第５レンズ群よりなり、前記第４レンズ群と前記第５レンズ群はズーミングに際して移動することを特徴とする請求項１乃至７のいずれか１項のズームレンズ。
【請求項１１】
固体撮像素子に像を形成することを特徴とする請求項１乃至１０のいずれか１項に記載のズームレンズ。
【請求項１２】
請求項１乃至１１のいずれか１項に記載のズームレンズと、該ズームレンズによって形成される像を受光する固体撮像素子を有することを特徴とする撮像装置。
【発明の詳細な説明】
【技術分野】
【０００１】
本発明はズームレンズに関するものであり、特にデジタルスチルカメラ、ビデオカメラ、監視カメラ、放送用カメラ、銀塩写真用カメラ等の撮像装置に用いる撮影レンズとして好適なものである。
【背景技術】
【０００２】
近年、固体撮像素子（ＣＣＤ、ＣＭＯＳ）を用いたビデオカメラ、デジタルスチルカメラ、ＴＶカメラ、そして銀塩フィルムを用いたカメラ等の撮像装置は高機能化され、かつ装置全体が小型化されている。そして、それらに用いる撮影レンズとしては、レンズ全長（第１レンズ面から像面までの長さ）が短く、高ズーム比のズームレンズであること等が要求されている。
【０００３】
これらの要求に応えるズームレンズとして、物体側より像側へ順に正、負、正の屈折力（光学的パワー＝焦点距離の逆数）を有する第１、第２、第３レンズ群とそれに続く１つ以上のレンズ群を含む後群を有するポジティブリード型のズームレンズが知られている。
【０００４】
ポジティブリード型のズームレンズとして、物体側より像側へ順に正、負、正、正の屈折力の第１乃至第４レンズ群の４つのレンズ群より成り、ズーミングに際して全てのレンズ群が移動する４群ズームレンズが知られている（特許文献１）。また、ポジティブリード型のズームレンズとして物体側より像側へ順に正、負、正、負、正の屈折力の第１乃至第５レンズ群の５つのレンズ群より成る５群ズームレンズが知られている（特許文献２）。
【先行技術文献】
【特許文献】
【０００５】
【特許文献１】特開２０１０−００２６８４号公報
【特許文献２】特開２００８−３０４７０６号公報
【発明の概要】
【発明が解決しようとする課題】
【０００６】
一般にズームレンズにおいて、所定のズーム比を確保しつつ、全系の小型化を図るためには、ズームレンズを構成する各レンズ群の屈折力を強めつつ、レンズ枚数を削減すれば良い。しかしながら、このような構成のズームレンズは、ズーミングに伴う諸収差の変動が大きくなり、全ズーム範囲にわたり高い光学性能を得るのが難しくなる。特に望遠端において色収差などの諸収差が多く発生し、これらの補正が困難になってくる。
【０００７】
前述した４群ズームレンズや、５群ズームレンズにおいて、高ズーム比化と全系の小型化を図りつつ、良好な光学性能を得るには各レンズ群の屈折力やレンズ構成等を適切に設定することが重要になる。更に各レンズ群のズーミングに伴う移動条件、各レンズ群間隔等を適切に設定することが重要となる。特に変倍用の負の屈折力の第２レンズ群の屈折力やズーミングに伴う移動量、広角端と望遠端における結像倍率等を適切に設定することが重要になってくる。
【０００８】
その他、正の屈折力の第１レンズ群の屈折力やズーミングに際しての移動量、そして正の屈折力の第３レンズ群の屈折力等を適切に設定することが重要になってくる。これらの要素が適切でないと、高ズーム比化及び全系の小型化を図りつつ、全ズーム範囲にわたり高い光学性能を得るのが困難になってくる。
【０００９】
本発明は、高ズーム比で全系が小型でしかも全ズーム範囲にわたり高い光学性能を有するズームレンズ及びそれを有する撮像装置の提供を目的とする。
【課題を解決するための手段】
【００１０】
本発明のズームレンズは、物体側より像側へ順に、正の屈折力の第１レンズ群、負の屈折力の第２レンズ群、正の屈折力の第３レンズ群、１以上のレンズ群を含む後群を有し、
広角端に比べて望遠端において、前記第１レンズ群は物体側に位置し、前記第２レンズ群は像側に位置し、ズーミングに際して隣り合うレンズ群の間隔が変化するズームレンズであって、
望遠端における前記第２レンズ群と前記第３レンズ群の間隔をＤｔ２３、広角端と望遠端における全系の焦点距離をそれぞれｆｗ、ｆｔ、前記第２レンズ群の焦点距離をｆ２、広角端から望遠端へのズーミングに際しての前記第２レンズ群の光軸方向の移動量をＭ２、前記第１レンズ群の焦点距離をｆ１とするとき、
Ｄｔ２３／√（ｆｗ×ｆｔ）＜０．０９
０．０１＜｜ｆ２｜／ｆｔ＜０．１０
−５．００＜Ｍ２／｜ｆ２｜＜−０．７０
１２．２４≦ｆ１／ｆｗ＜３５．００
なる条件式を満足することを特徴としている。
【発明の効果】
【００１１】
本発明によれば、高ズーム比で全系が小型でしかも全ズーム範囲にわたり高い光学性能を有するズームレンズが得られる。
【図面の簡単な説明】
【００１２】
【図１】本発明の実施例１の広角端におけるレンズ断面図
【図２】（Ａ）、（Ｂ）、（Ｃ）  本発明の実施例１に対応する数値実施例１の広角端、中間のズーム位置、望遠端における収差図
【図３】本発明の実施例２の広角端におけるレンズ断面図
【図４】（Ａ）、（Ｂ）、（Ｃ）  本発明の実施例２に対応する数値実施例２の広角端、中間のズーム位置、望遠端における収差図
【図５】本発明の実施例３の広角端におけるレンズ断面図
【図６】（Ａ）、（Ｂ）、（Ｃ）  本発明の実施例３に対応する数値実施例３の広角端、中間のズーム位置、望遠端における収差図
【図７】本発明の実施例４の広角端におけるレンズ断面図
【図８】（Ａ）、（Ｂ）、（Ｃ）  本発明の実施例４に対応する数値実施例４の広角端、中間のズーム位置、望遠端における収差図
【図９】本発明の実施例５の広角端におけるレンズ断面図
【図１０】（Ａ）、（Ｂ）、（Ｃ）  本発明の実施例５に対応する数値実施例５の広角端、中間のズーム位置、望遠端における収差図
【図１１】本発明の実施例６の広角端におけるレンズ断面図
【図１２】（Ａ）、（Ｂ）、（Ｃ）  本発明の実施例６に対応する数値実施例６の広角端、中間のズーム位置、望遠端における収差図
【図１３】本発明の実施例７の広角端におけるレンズ断面図
【図１４】（Ａ）、（Ｂ）、（Ｃ）  本発明の実施例７に対応する数値実施例７の広角端、中間のズーム位置、望遠端における収差図
【図１５】本発明の実施例８の広角端におけるレンズ断面図
【図１６】（Ａ）、（Ｂ）、（Ｃ）  本発明の実施例８に対応する数値実施例８の広角端、中間のズーム位置、望遠端における収差図
【図１７】本発明の撮像装置の要部概略図
【発明を実施するための形態】
【００１３】
本発明のズームレンズは、物体側より像側へ順に、正の屈折力の第１レンズ群、負の屈折力の第２レンズ群、正の屈折力の第３レンズ群、１以上のレンズ群を含む後群を有している。第１レンズ群は広角端に比べて望遠端にて物体側に位置するように移動し、第２レンズ群は広角端に比べて望遠端にて像側に位置するように移動する。後群は、物体側から像側へ順に、負の屈折力の第４レンズ群、正の屈折力の第５レンズ群からなり、第４レンズ群と第５レンズ群はズーミングに際して移動する。各実施例ではズーミングに際して隣り合うレンズ群の間隔が変化する。
【００１４】
この他、後群は正の屈折力の第４レンズ群からなり、第４レンズ群はズーミングに際して移動することを特徴としている。この他、後群は、物体側から像側へ順に、正の屈折力の第４レンズ群、正の屈折力の第５レンズ群よりなり、第４レンズ群と第５レンズ群はズーミングに際して移動することを特徴としている。
【００１５】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。
【００１６】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。
【００１７】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。
【００１８】
図１３は本発明の実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。図１５は本発明の実施例８のズームレンズの広角端におけるレンズ断面図である。図１６（Ａ）、（Ｂ）、（Ｃ）はそれぞれ実施例８のズームレンズの広角端、中間のズーム位置、望遠端における収差図である。
【００１９】
図１７は本発明のズームレンズを備えるカメラ（撮像装置）の要部概略図である、各実施例のズームレンズはビデオカメラ、デジタルカメラ、ＴＶカメラ、監視用カメラ、そして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。ＬＲは１以上のレンズ群を有する後群である。
【００２０】
図１、図３、図９、図１３、図１５の実施例１、２、５、７、８のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の第５レンズ群である。実施例１、２、５、７、８は５群ズームレンズである。
【００２１】
図５、図７の実施例３、４のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群である。実施例３、４は４群ズームレンズである。
【００２２】
図１１の実施例６のレンズ断面図においてＬ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群である。実施例６は５群ズームレンズである。実施例１、２、５乃至８において後群ＬＲは２つのレンズ群よりなり、実施例３、４では１つのレンズ群よりなっている。
【００２３】
各実施例においてＳＰはＦナンバー光束を決定する開口絞りであり、第３レンズ群Ｌ３の物体側に配置され、ズーミングに際して各レンズ群と異なった軌跡で移動している。開口絞りＳＰの径は変倍時固定ではなく変化させることもできる、これによれば広角端で大きく発生する軸外光束による上線コマフレアを最大限カットすることができ、より良好な光学性能を達成することができる。
【００２４】
ＦＳはメカ絞り（フレアカット絞り）であり、第３レンズ群Ｌ３の像側に配置しており、不要光（フレア）を遮光している。メカ絞りＦＳは開口径固定である。このメカ絞りＦＳは光学性能を劣化させる有害な光線をカットしている。このメカ絞りＦＳは望遠端において軸上光線をカットしないぎりぎりの開口径を設定することにより、全ズーム領域にて軸外光線の上線コマフレアを最大限にカットし、これによりズーム全域において高性能化を容易にしている。
【００２５】
本実施例でのメカ絞りＦＳはズーミングに際して第３レンズ群Ｌ３と一体（同じ軌跡）で移動するが、異なった軌跡で移動させても良く、また固定であっても良い。Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の像面に、銀塩フィルム用カメラのときはフィルム面に相当する感光面が置かれる。
【００２６】
収差図のうち球面収差において、実線と２点鎖線は各々ｄ線及びｇ線、非点収差図において点線のΔＭと実線のΔＳはメリディオナル像面、サジタル像面である。倍率色収差はｇ線によって表している。ωは半画角（撮影画角の半分の値）（度）、ＦｎｏはＦナンバーである。尚、以下の各実施例において広角端と望遠端は変倍用レンズ群が機構上光軸上を移動可能な範囲の両端に位置したときのズーム位置をいう。各実施例では、広角端から望遠端へのズーミングに際して矢印のように各レンズ群を移動させている。
【００２７】
各実施例において望遠端における第２レンズ群Ｌ２と第３レンズ群Ｌ３の間隔をＤｔ２３とする。広角端と望遠端における全系の焦点距離をそれぞれｆｗとｆｔとする。第２レンズ群Ｌ２の焦点距離をｆ２とする。広角端から望遠端へのズーミングに際しての第２レンズ群Ｌ２の光軸方向の移動量をＭ２とする。ここで、広角端から望遠端へのズーミングに際してのレンズ群の光軸方向の移動量とは、広角端と望遠端におけるレンズ群の光軸方向の位置の差であり、移動量の符号は、望遠端において広角端よりも物体側に位置するように移動するときを正とする。このとき、
Ｄｔ２３／√（ｆｗ＊ｆｔ）＜０．０９  ・・・（１）
０．０１＜｜ｆ２｜／ｆｔ＜０．１０    ・・・（２）
−５．００＜Ｍ２／｜ｆ２｜＜−０．７０  ・・・（３）
なる条件式を満足している。
【００２８】
各実施例のズームレンズは、物体側より像側へ順に、正の屈折力の第１レンズ群、負の屈折力の第２レンズ群、正の屈折力の第３レンズ群、１以上のレンズ群を含む後群を有す構成としている。さらに広角端から望遠端へのズーミングに際して第１レンズ群は広角端に比べて望遠端にて物体側に位置するように移動し、第２レンズ群Ｌ２は広角端に比べて望遠端にて像側に位置するように移動する。ズーミングに際して隣り合うレンズ群の間隔が変化する。
【００２９】
各実施例のズームレンズは、上述のように構成することにより、広角端において軸外光束は第１レンズ群Ｌ１に光軸から離れた位置を通過し、望遠端になるに従って軸外光束は第１レンズ群Ｌ１に光軸に徐々に近づく位置に入射する。これにより、広角端において軸外収差を良好に補正している。また広角端から望遠端へのズーミングに際して第１レンズ群を物体側へ移動させることにより、望遠端において第１レンズ群Ｌ１と第２レンズ群Ｌ２の間隔を大きくしている。これにより、全系の長焦点化、すなわち高ズーム比化を図っている。
【００３０】
広角端から望遠端へのズーミングにおいて、第２レンズ群Ｌ２を広角端に比べて望遠端にて像側に位置するように移動させることにより広角側での変倍における第３レンズ群の移動量を抑えながら変倍機能を上げている。また像側に移動させることにより第１レンズ群Ｌ１が物体側に大きく移動することが抑制でき、望遠側においてレンズ全長の増大を抑えながら第２レンズ群Ｌ２の移動により、高ズーム比を確保している。
【００３１】
広角端から望遠端へのズーミングにおいて、最も前玉有効径が大きくなる広角端もしくは広角端より望遠側へ少しズームしたズーム位置にて、第１レンズ群Ｌ１と入射瞳位置を近づけるために、第１レンズ群Ｌ１を像側へ凸状の軌跡で移動させている。第１レンズ群Ｌ１を像側へ凸状の軌跡で移動することにより、前玉有効径の小型化を図りつつ、画面周辺光量の急峻な落ち込みを緩和している。
【００３２】
条件式（１）は望遠端において第２レンズ群Ｌ２と第３レンズ群Ｌ３の距離を規定した式である。条件式（１）の上限を超えて距離が長すぎると望遠端におけるレンズ全長が長くなるだけでなく望遠端において開口絞りＳＰと第１レンズ群Ｌ１の間隔が増大することにより前玉有効径が増大してくる。
【００３３】
条件式（２）は、第２レンズ群Ｌ２の焦点距離を規定した式である。条件式（２）の上限を超えて、第２レンズ群Ｌ２の焦点距離が大きくなると、高ズーム比化を図る際、ズーミングに際しての第１レンズ群Ｌ１の移動量が大きくなり、望遠端においてレンズ全長が増大し好ましくない。下限を超えて第２レンズ群Ｌ２の焦点距離が小さくなりすぎると、ペッツバール和が負の方向に大きくなり、像面湾曲が大きくなり、好ましくない。
【００３４】
条件式（３）は、広角端から望遠端へのズーミングにおいて、第２レンズ群Ｌ２が光軸方向へ移動する際の移動量を規定した式である。条件式（３）の下限を下回ると、第２レンズ群Ｌ２の変倍寄与が小さくなり過ぎ、所望のズーム比を確保するのが難しくなり、ズーミングに伴う球面収差の変動が大きくなってしまう。逆に条件式（３）の上限を上回ると、第２レンズ群Ｌ２の変倍寄与が大きくなり過ぎ、広角端において歪曲収差が大きくなってしまい良好な光学性能を得るのが困難となる。
【００３５】
各実施例では以上のような構成をとることにより、高ズーム比で全系が小型で、かつ全ズーム範囲にわたり、優れた光学性能を有するズームレンズが得られる。
【００３６】
各実施例において、更に好ましくは次の諸条件のうち１以上を満足するのが良い。広角端における第２レンズ群Ｌ２の横倍率をβ２ｗ、望遠端における第２レンズ群Ｌ２の横倍率をβ２ｔとする。ズームレンズを構成する全てのレンズ群の厚さの総和をＴｓｕｍとする。第１レンズ群Ｌ１の焦点距離をｆ１とする。第３レンズ群Ｌ３の焦点距離をｆ３とする。広角端から望遠端へのズーミングに際しての第１レンズ群Ｌ１の光軸方向の移動量をＭ１とする。このとき、次の条件式のうち１以上を満足するのが良い。 
【００３７】
５．００＜β２ｔ／β２ｗ＜２０．００    ・・・（４）
Ｔｓｕｍ／ｆｔ＜０．５０                ・・・（５）
０．３０＜｜ｆ２｜／ｆ３＜０．８０      ・・・（６）
１２．２４≦ｆ１／ｆｗ＜３５．００      ・・・（７）
５．００＜Ｍ１／ｆｗ＜２５．００        ・・・（８）
０．０１＜ｆ３／ｆｔ＜０．２５          ・・・（９）
１５．００＜ｆｔ／ｆｗ＜１２０．００  ・・・（１０）
次に各条件式の技術的意味について説明する。
【００３８】
条件式（４）は全系が小型でかつ高いズーム比を得るために広角端および望遠端における第２レンズ群Ｌ２の横倍率β２ｔ、β２ｗを適切に定めたものである。条件式（４）の上限値を超えて第２レンズ群Ｌ２の望遠端の横倍率β２ｔが広角端の横倍率β２ｗに比べて大きくなりすぎると変倍に際して第２レンズ群の移動量が大きくなる。このため、レンズ全長が増大し、全系が大型化してくるので良くない。
【００３９】
逆に条件式（４）の下限値を超えて第２レンズ群Ｌ２の望遠端の横倍率β２ｔが広角端の横倍率β２ｗに比べて小さくなりすぎるとズーム全域に渡ってコマ収差および像面変動の補正が困難になる。また、前玉有効径が増大してくるため、全系のコンパクト化が困難になる。
【００４０】
条件式（５）はレンズ全長のコンパクト化と良好な光学性能を図るための式である。条件式（５）の上限を超えると、光学性能は比較的良好になりやすいが全系のコンパクト化が困難になる。
【００４１】
条件式（６）は全系をコンパクトにしつつ、変倍に寄与する第２レンズ群Ｌ２と第３レンズ群Ｌ３の焦点距離の比を適切に定めたものである。条件式（６）の上限を超えて第２レンズ群Ｌ２の負の屈折力が弱くなると、レンズ全長の短縮、および前玉有効径を小型にするのが困難となる。また高ズーム比化する際に第３レンズ群Ｌ３の変倍分担が大きくなるため、主にコマ収差が多く発生し、光学性能が悪化する。
【００４２】
逆に下限を超えて、第２レンズ群Ｌ２の負の屈折力が強くなると、敏感度（位置変化に対する結像位置の変化の比）が高くなり、全系が困難となる。また主にズーム全域における像面湾曲、非点収差などの諸収差の補正が困難になる。
【００４３】
条件式（７）は、第１レンズ群Ｌ１の焦点距離を規定し、第１レンズ群Ｌ１の屈折力を適切に設定することで光学系全体の小型化と光学性能のバランスを良好に維持するための条件である。条件式（７）の下限を超えて、第１レンズ群Ｌ１の屈折力が強くなりすぎると、第１レンズ群Ｌ１より球面収差と軸上色収差が多く発生し、良好な結像性能を得ることが困難になる。
【００４４】
また上限を超えて第１レンズ群Ｌ１の屈折力が弱くなりすぎると、収差補正には有利となるが、所望のズーム比を得るために第１レンズ群Ｌ１と第２レンズ群Ｌ２の相対移動量が大きくなり、レンズ全長が長くなると共に前玉有効径が大きくなるので好ましくない。
【００４５】
条件式（８）はズーミングに伴う第１レンズ群Ｌ１の移動量を規定する式である。条件式（８）の下限を超え広角端から望遠端へのズーミングに際して物体側への移動量が小さすぎると変倍作用が弱まる。第１レンズ群Ｌ１の屈折力を強めてこのときの変倍作用を補おうとすると望遠側において球面収差が多く発生してくる。また第２レンズ群Ｌ２の屈折力を強めて変倍作用を補おうとすると広角側において像面湾曲、望遠側において球面収差が多く発生してくる。
【００４６】
条件式（８）の上限を超えて広角端から望遠端へのズーミングに際して物体側への移動量が大きすぎると望遠端においてレンズ全長が増大し、全系のコンパクト化が困難になる。
【００４７】
条件式（９）は、第３レンズ群Ｌ３の屈折力を規定した式であり、主に球面収差やコマ収差を良好に抑えつつ、広画角化を図るためのものである。条件式（９）の上限を超えて第３レンズ群Ｌ３の屈折力が弱くなると、所望のズーム比を得るための第３レンズ群Ｌ３のズーミングに際しての移動量が大きくなり、レンズ全長を短縮することが困難となる。また、高ズーム比化を達成することが難しくなる。下限を超えて、第３レンズ群Ｌ３の屈折力が強くなると、高ズーム比化には有利だが、球面収差やコマ収差等が多く発生し、これらの補正が難しくなる。
【００４８】
条件式（１０）は好ましいズーム比を特定するものである。条件式（１０）の下限を下回らないようにしてズーム比を確保することで全系のコンパクトかつ高ズーム比化が容易になる。条件式（１０）の上限を上回らないようにすることで各レンズ群の屈折力が大きくなりすぎることを抑え、収差補正のために各レンズ群の厚さが大きくなることを抑え、全系のコンパクト化を容易にしている。本発明において更に好ましくは条件式（１）〜（９）の数値範囲を次の如く設定するのが良い。
【００４９】
０．０１＜Ｄｔ２３／√（ｆｗ＊ｆｔ）＜０．０９    ・・・（１ａ）
０．０２＜｜ｆ２｜／ｆｔ＜０．１０                ・・・（２ａ）
−４．００＜Ｍ２／｜ｆ２｜＜−０．９０            ・・・（３ａ）
６．００＜β２ｔ／β２ｗ＜１８．００              ・・・（４ａ）
０．０５＜Ｔｓｕｍ／ｆｔ＜０．５０                ・・・（５ａ）
０．３５＜｜ｆ２｜／ｆ３＜０．７０                ・・・（６ａ）
１２．２４≦ｆ１／ｆｗ＜３０．００                ・・・（７ａ）
６．００＜Ｍ１／ｆｗ＜２０．００                  ・・・（８ａ）
０．０１＜ｆ３／ｆｔ≦０．２０                    ・・・（９ａ）
条件式（１ａ）は条件式（１）に新たに下限値を設けたものである。
【００５０】
条件式（１ａ）の下限値を超えて第２レンズ群Ｌ２と第３レンズ群Ｌ３の間隔変化が小さく成り過ぎると、所定のズーム比を確保するために各レンズ群の光学的パワーを強めなければならない。この結果、ズーム全域において諸収差を良好に補正する事が困難になってくるので良くない。
【００５１】
条件式（５ａ）は条件式（５）に新たに下限値を設けたものである。下限値を超えるとレンズ全長のコンパクト化には有利だが各レンズの収差補正に関する能力が損なわれ特に、望遠端において軸上色収差が悪化して良好な光学性能を得るのが困難になる。なお、以上の各条件式に共通して、各条件式範囲をより限定した下位の条件式の上限値のみ、又は、下限値のみをその上位の条件式の上限値あるいは下限値をして限定するようにしても良い。
【００５２】
また以上の条件式は任意に複数組み合わせることで、より本発明の効果を高めることができる。また更に好ましくは、第１レンズ群は物体側から像側へ順に、負レンズ、正レンズ、正レンズを含んでいる事が好ましい。これによれば高ズーム比化を図る際に球面収差と色収差の発生を少なくし良好なる光学性能を得るのが容易になる。
【００５３】
本発明の撮像装置は、上記のいずれかのズームレンズと、歪曲収差と倍率色収差のどちらか、若しくは両方を電気的に補正する回路とを備えている。
【００５４】
このようにズームレンズの歪曲収差を許容することのできる構成にすれば、ズームレンズの全体のレンズ枚数を少なくし、小型化が容易になる。また、倍率色収差を電気的に補正することにより、撮影画像の色にじみを軽減し、また、解像力の向上を図ることが容易になる。
【００５５】
次に各実施例のレンズ構成の特徴について説明する。実施例１，２，５，７，８のズームレンズは物体側から像側へ順に、正の屈折力の第１レンズ群Ｌ１、は負の屈折力の第２レンズ群Ｌ２、正の屈折力の第３レンズ群Ｌ３、負の屈折力の第４レンズ群Ｌ４、正の屈折力を持つ第５レンズ群Ｌ５で構成されている。後群ＬＲは第４レンズ群Ｌ４と第５レンズ群Ｌ５よりなっている。
【００５６】
広角端から望遠端へズーミングに際して、各レンズ群Ｌ１〜Ｌ５が移動している。具体的には第１レンズ群Ｌ１は像側へ凸状の軌跡を描くように移動している。第２レンズ群Ｌ２は像側へ、第３レンズ群Ｌ３と第４レンズ群Ｌ４は物体側へ移動している。第５レンズ群Ｌ５は物体側に凸状の軌跡を描くように移動している。
【００５７】
このとき、広角端に比べて望遠端において第１レンズ群Ｌ１と第２レンズ群Ｌ２の間隔、第３レンズ群Ｌ３と第４レンズ群Ｌ４の間隔、第４レンズ群Ｌ４と第５レンズ群Ｌ５の間隔が大きくなるように移動している。また第２レンズ群Ｌ２と第３レンズ群Ｌ３の間隔が小さくなるように移動している。
【００５８】
第２レンズ群Ｌ２は、物体側より像側へ順に負レンズ、負レンズ、正レンズよりなっている。第３レンズ群Ｌ３は物体側より像側へ順に、正レンズ、負レンズ、負レンズ、正レンズよりなっている。第４レンズ群Ｌ４は単一の負レンズよりなっている。第５レンズ群Ｌ５は正レンズと負レンズを接合した接合レンズよりなっている。実施例３，４は物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４で構成されている。後群ＬＲは第４レンズ群Ｌ４よりなっている。
【００５９】
広角端から望遠端へのズーミングに際して、各レンズ群Ｌ１〜Ｌ４が移動している。具体的には第１レンズ群Ｌ１は像側へ凸状の軌跡を描くように移動している。第２レンズ群Ｌ２は像側へ、第３レンズ群Ｌ３は物体側へ移動している。第４レンズ群Ｌ４は物体側へ凸状の軌跡を描くように移動している。このとき、広角端に比べて望遠端において第１レンズ群Ｌ１と第２レンズ群Ｌ２の間隔が大きく、第２レンズ群Ｌ２と第３レンズ群Ｌ３の間隔が小さく、第３レンズ群Ｌ３と第４レンズ群Ｌ４の間隔が大きくなるように各レンズ群が移動している。
【００６０】
第２レンズ群Ｌ２は負レンズ、負レンズ、負レンズ、正レンズよりなっている。第３レンズ群Ｌ３は正レンズ、負レンズ、負レンズ、正レンズ、負レンズより、又は正レンズ、負レンズ、正レンズよりなっている。第４レンズ群Ｌ４は単一の正レンズ又は正レンズ、正レンズ、負レンズよりなっている。
【００６１】
実施例６は物体側から像側へ順に正の屈折力の第１レンズ群Ｌ１、負の屈折力の第２レンズ群Ｌ２、正の屈折力の第３レンズ群Ｌ３、正の屈折力の第４レンズ群Ｌ４、正の屈折力を持つ第５レンズ群Ｌ５で構成されている。後群ＬＲは第４レンズ群Ｌ４と第５レンズ群Ｌ５よりなっている。
【００６２】
広角端から望遠端へのズーミングに際して、各レンズ群Ｌ１〜Ｌ５が移動している。具体的には第１レンズ群Ｌ１は像側へ凸状の軌跡を描くように移動している。第２レンズ群Ｌ２は像側へ、第３レンズ群Ｌ３と第４レンズ群Ｌ４は物体側へ移動している。第５レンズ群Ｌ５は物体側に凸状の軌跡を描くように移動している。
【００６３】
このとき、広角端に比べて望遠端において第１レンズ群Ｌ１と第２レンズ群Ｌ２の間隔、第３レンズ群Ｌ３と第４レンズ群Ｌ４の間隔、第４レンズ群Ｌ４と第５レンズ群Ｌ５の間隔が大きくなるように移動している。また第２レンズ群Ｌ２と第３レンズ群Ｌ３の間隔が小さくなるように移動している。
【００６４】
第２レンズ群Ｌ２は負レンズ、負レンズ、正レンズよりなっている。第３レンズ群Ｌ３は正レンズ、負レンズ、負レンズ、正レンズ、負レンズよりなっている。第４レンズ群Ｌ４は単一の正レンズよりなっている。第５レンズ群Ｌ５は正レンズと負レンズを接合した接合レンズよりなっている。
【００６５】
各実施例のズームレンズでは、第２レンズ群Ｌ２と第３レンズ群Ｌ３の間にＦナンバー決定部材（開口絞り）ＳＰを設けている。各実施例においてＦナンバー決定部材ＳＰは、ズーミングに際して他のレンズ群と独立（異なった軌跡）で移動する。このような構成とすることで、広角端およびその近傍のズーム位置における中間像高からの画面周辺での光量の急峻な落ちを改善している。尚、Ｆナンバー決定部材ＳＰはズーミングに際して、第３レンズ群Ｌ３と一体に移動させてもよい。
【００６６】
各実施例のズームレンズでは、第１レンズ群Ｌ１の屈折力を弱める（条件式（７）を満足する程度）。そして第２レンズ群Ｌ２の屈折力をある程度強める（条件式（６）を満足する程度）ことで広角端において第１レンズ群Ｌ１とＦナンバー決定部材ＳＰの距離を小さくしている。これにより第１レンズ群Ｌ１のレンズ径の小型化を図っている。また、第３レンズ群Ｌ３の屈折力をある程度強める（条件式（９）を満足する程度）ことで開口絞りＳＰから像面ＩＰまでの距離を小さくしている。これにより広角端におけるレンズ全長の短縮を図っている。
【００６７】
各実施例のズームレンズでは、広角端から望遠端へのズーミングに際して第１レンズ群Ｌ１を物体側に移動させ、広角端に比べて望遠端において第１レンズ群Ｌ１と第２レンズ群Ｌ２の間隔を広げることで変倍作用を得ている。
【００６８】
さらに広角端から望遠端へのズーミングに際して第３レンズ群Ｌ３を物体側に移動させ広角端に比べて望遠端において第２レンズ群Ｌ２と第３レンズ群Ｌ３の間隔を狭めることで変倍作用を得ている。このように変倍作用を複数の箇所で分担することにより高ズーム比としながら変倍のための移動ストロークを短縮するとともに望遠端においてレンズ全長を短縮している。
【００６９】
無限遠物体から近距離物体へのフォーカシングについては最終レンズ群を物体側に移動させることで行っている。以上のような構成とすることで広角端および望遠端においてレンズ全長の短縮化を図りつつ高ズーム比化を図っている。また各実施例において第３レンズ群Ｌ３に非球面レンズを採用することにより、所定の明るさを確保しつつ、広角側において球面収差やコマ収差等を良好に補正している。
【００７０】
実施例５，６，７では第２レンズ群Ｌ２に非球面レンズを採用することにより、光学性能のさらなる向上を図っている。特に広角側において像面湾曲が大きくなるのを軽減している。本実施例５，６，７では、第２レンズ群の最も物体側の負レンズをレンズ周辺で負の屈折力が弱くなる非球面形状として像面湾曲を良好に補正している。
【００７１】
次に、本発明のズームレンズを撮影光学系として用いたデジタルカメラ（撮像装置）の実施形態を図１７を用いて説明する。図１７において、２０はデジタルカメラ本体、２１は上述の各実施例のズームレンズによって構成された撮影光学系である。２２は撮影光学系２１によって被写体像を受光するＣＣＤ等の撮像素子、２３は撮像素子２２が受光した被写体像を記録する記録手段、２４は不図示の表示素子に表示された被写体像を観察するためのファインダーである。上記表示素子は液晶パネル等によって構成され、撮像素子２２上に形成された被写体像が表示される。
【００７２】
このように本発明のズームレンズをデジタルカメラ等の撮像装置に適用することにより、小型で高い光学性能を有する撮像装置を実現している。
【００７３】
以上、本発明の好ましい実施形態について説明したが、本発明はこれらの実施形態に限定されず、その要旨の範囲内で種々の変形及び変更が可能である。
【００７４】
次に、本発明の実施例１〜８に各々対応する数値実施例１〜８を示す。各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００７５】
またｋを離心率Ａ４、Ａ６、Ａ８、Ａ１０、Ａ１２を非球面係数、光軸からの高さｈの位置での光軸方向の変位を面頂点を基準にしてｘとするとき、非球面形状は、
ｘ＝（ｈ2／Ｒ）／［１＋［１−（１＋ｋ）（ｈ／Ｒ）2］1/2］＋Ａ４ｈ4＋Ａ６ｈ6＋Ａ８ｈ8＋Ａ１０ｈ10＋Ａ１２ｈ12
で表示される。但しＲは近軸曲率半径である。また例えば「Ｅ−Ｚ」の表示は「１０−Ｚ」を意味する。数値実施例において最後の２つの面は、フィルター、フェースプレート等の光学ブロックの面である。
【００７６】
各実施例において、バックフォーカス（ＢＦ）はレンズ最終面から近軸像面までの距離を空気換算長により表したものである。レンズ全長は最も物体側の面から最終レンズ面までの距離にバックフォーカスを加えたものである。また、各数値実施例における上述した条件式との対応を表１に示す。
【００７７】
［数値実施例１］
面データ
面番号       r        d      nd         νd    
1         90.708    1.45   1.91082    35.3    
2         49.795    5.25   1.49700    81.5     
3       -190.397    0.05                       
4         41.126    3.30   1.49700    81.5     
5        123.046  (可変)                       
6        179.721    0.75   1.83481    42.7     
7          8.496    5.18                       
8        -31.844    0.60   1.77250    49.6      
9         31.844    0.16                       
10         17.277    1.95   1.95906    17.5      
11         59.314  (可変)                        
12(絞り)    ∞     (可変)                        
13*        10.093    2.70   1.55332    71.7      
14*      -160.645    2.04                       
15         28.628    0.60   1.80400    46.6     
16         10.527    0.35                         
17         15.210    0.60   2.00100    29.1       
18         10.945    2.40   1.49700    81.5      
19        -25.732    1.07                        
20          ∞     (可変)                         
21        115.143    0.70   1.48749    70.2       
22         24.705  (可変)                        
23         25.060    2.20   1.88300    40.8      
24        -25.060    0.50   2.00069    25.5      
25      -2946.068  (可変)                       
26          ∞       0.80   1.51633    64.1     
27          ∞       1.0                      
像面        ∞   
【００７８】
非球面データ
第13面
K =-2.70434e-001  A 4=-5.69285e-005  A 6=-5.23498e-008  A 8=-8.93644e-010  
第14面
K = 0.00000e+000  A 4= 2.46102e-005  A 6= 1.73290e-008  
各種データ
ズーム比     47.51 
広角     中間     望遠
焦点距離       4.42    14.21   210.00  
Fナンバー      3.50     4.71     6.69  
半画角（度）  37.01    15.25     1.06  
像高           3.33     3.88     3.88  
レンズ全長    97.00    95.39   138.53  
BF            11.44    19.83    10.00  
d 5            0.75    16.57    61.72  
d11           36.13    14.08     1.05  
d12            9.95     3.01     0.35  
d20            1.78     4.91     8.04  
d22            4.83     4.88    25.25  
d25            9.91    18.30     8.47  
ズームレンズ群データ
群  始面    焦点距離  
1    1      80.35       
2    6      -9.38        
3   13      19.69        
4   21     -64.69        
5   23      32.20       
【００７９】
［数値実施例２］
面データ
面番号       r        d      nd         νd     
1        101.721    1.30   1.80610    33.3     
2         44.521    4.58   1.49700    81.5      
3       -554.834    0.18                        
4         43.808    3.44   1.60311    60.6     
5        224.609  (可変)                         
6        132.874    0.70   1.83481    42.7       
7          8.358    4.65                         
8        -32.141    0.55   1.77250    49.6       
9         26.500    0.20                        
10         16.536    1.99   1.92286    18.9      
11         79.590  (可変)                        
12(絞り)    ∞     (可変)                       
13*         9.519    3.03   1.55332    71.7           
14*       -67.520    2.30                        
15         24.912    0.55   1.64769    33.8        
16          8.916    0.28                         
17         12.394    0.50   1.84666    23.9       
18          9.266    1.90   1.51633    64.1       
19        -29.706    0.30                         
20          ∞     (可変)                        
21        -39.092    0.70   1.48749    70.2       
22         12.666  (可変)                         
23         17.121    2.88   1.83481    42.7      
24        -22.608    0.45   1.94595    18.0      
25        -64.627  (可変)                       
26          ∞       0.60   1.51633    64.1     
27          ∞       1.01                     
像面        ∞   
【００８０】
非球面データ
第13面
K =-1.78888e-001  A 4=-4.01546e-006  A 6= 1.73083e-006  A 8= 1.75668e-008  A10= 2.62605e-010  
第14面
K =-6.67199e+001  A 4= 1.27460e-004  A 6= 3.44802e-006  
各種データ
ズーム比     28.51 
広角     中間     望遠
焦点距離       4.42    15.43   125.99  
Fナンバー      3.50     5.10     5.98  
半画角（度）  37.01    14.09     1.76  
像高           3.33     3.88     3.88  
レンズ全長    85.36    83.81   119.36  
BF             8.44    12.06     7.57  
d 5            0.78    15.73    56.38  
d11           29.71    10.30     0.93  
d12            8.90     1.10     0.51  
d20            2.15     8.47    10.63  
d22            4.70     5.47    12.64  
d25            7.03    10.65     6.16  
ズームレンズ群データ
群  始面    焦点距離  
1    1      77.05        
2    6      -9.51                  
3   13      14.87        
4   21     -19.54       
5   23      17.37         
【００８１】
［数値実施例３］
面データ
面番号       r        d      nd         νd     
1         74.172    1.80   2.18500    16.0  
2         56.840    6.25   1.51633    64.1  
3       -854.616    0.20                   
4*        39.494    4.10   1.69680    55.5   
5        102.106  (可変)                      
6         51.319    1.00   1.88300    40.8   
7         10.805    2.10                      
8         28.962    0.80   1.88300    40.8     
9          9.187    3.60                       
10        -28.257    0.70   1.80610    33.3     
11         68.889    0.20                       
12         19.863    2.40   1.92286    18.9      
13       -111.789  (可変)                        
14(絞り)    ∞     (可変)                        
15*         9.711    3.20   1.58313    59.4       
16*       -43.324    2.68                       
17         37.856    0.70   1.80610    33.3       
18          9.469    0.50                        
19         16.758    0.70   2.00069    25.5       
20          8.484    2.70   1.72000    50.2       
21        -38.034    0.31                        
22        128.109    0.70   1.69680    55.5      
23         34.694    0.30                          
24          ∞     (可変)                         
25         19.526    1.80   1.58313    59.4      
26       -693.280  (可変)                       
27          ∞       1.10   1.51633    64.1      
28          ∞       1.15                      
像面        ∞   
【００８２】
非球面データ
第4面
K =-1.76307e-003  A 4=-9.93865e-008  A 6=-2.90526e-011  A 8=-3.84237e-015  A10=-2.28856e-015  
第15面
K =-4.42240e-001  A 4=-8.40186e-005  A 6= 4.16653e-007  A 8=-7.35921e-008  A10= 2.12069e-009  
第16面
K =-6.28357e-007  A 4= 4.33153e-007  A 6= 5.61637e-008  A 8=-6.14980e-011  A10=-4.01133e-013  
各種データ
ズーム比     18.90 
広角     中間     望遠
焦点距離       5.17    27.25    97.78  
Fナンバー      2.83     3.89     5.48  
半画角（度）  36.83     8.09     2.27  
像高           3.88     3.88     3.88  
レンズ全長    85.40    94.92   117.12  
BF            10.04    19.40    12.42  
d 5            0.70    27.64    40.81  
d13           25.54     5.38     1.17  
d14            7.50     2.43     0.75  
d24            4.49     2.96    24.85  
d26            8.16    17.52    10.54  
ズームレンズ群データ
群  始面    焦点距離 
1    1      63.34       
2    6      -9.22        
3   15      19.31      
4   25      32.60        
【００８３】
［数値実施例４］
面データ
面番号       r        d      nd         νd    
1        123.517    1.80   1.83400    37.2    
2         49.043    6.00   1.49700    81.5    
3       -173.716    0.20                      
4         41.868    3.50   1.59282    68.6      
5        126.408  (可変)                        
6        103.274    1.00   1.94000    36.0     
7          8.518    3.10                        
8         32.657    0.70   1.83481    42.7     
9         15.173    2.00                        
10        -53.198    0.70   1.77250    49.6     
11         32.604    0.20                        
12         16.861    1.80   1.92286    18.9      
13        219.777  (可変)                       
14(絞り)    ∞     (可変)                        
15*         9.446    3.30   1.55332    71.7   
16*      -148.505    2.00                     
17         23.123    1.30   1.83481    42.7       
18          6.102    2.90   1.49700    81.5       
19        -61.864    0.30                         
20          ∞     (可変)                         
21        -54.404    0.70   1.48749    70.2     
22         26.024    2.00                         
23         28.146    2.30   1.83481    42.7       
24        -13.313    0.60   1.84666    23.8       
25        -59.884  (可変)                       
26          ∞       1.00   1.51633    64.1      
27          ∞       1.00                     
像面        ∞   
【００８４】
非球面データ
第15面
K =-1.94279e-001  A 4=-2.44163e-006  A 6= 4.95673e-007  A 8=-2.21380e-008  A10= 5.49114e-010  
第16面
K = 6.00981e+002  A 4= 1.28301e-004  A 6= 7.08493e-007  
各種データ
ズーム比     41.67 
広角     中間     望遠
焦点距離       3.91    11.88   162.78  
Fナンバー      2.87     4.93     7.07  
半画角（度）  40.47    18.06     1.36  
像高           3.33     3.88     3.88  
レンズ全長    93.76    93.12   128.03  
BF            11.01    16.95    13.49  
d 5            0.80    15.61    63.97  
d13           28.91    16.47     0.61  
d14           13.91     0.50     0.31  
d20            2.40     6.85    12.92  
d25            9.35    15.29    11.83  
ズームレンズ群データ
群  始面    焦点距離  
1    1      80.99       
2    6      -8.52         
3   15      17.99        
4   21      56.73        
【００８５】
［数値実施例５］
面データ
面番号       r        d      nd         νd      
1        128.900    1.20   1.80610    33.3      
2         55.275    6.70   1.59282    68.6       
3       -314.783    0.18                         
4         48.367    3.30   1.49700    81.5      
5        138.468  (可変)                        
6*       147.547    0.70   1.88300    40.8      
7*         8.368    5.76                        
8        -28.770    0.70   1.77250    49.6     
9         25.088    0.20                       
10         18.269    1.85   1.92286    18.9       
11        246.774  (可変)                       
12(絞り)    ∞     (可変)                       
13*         9.741    3.10   1.55332    71.7      
14*       -67.675    1.51                       
15         46.120    0.60   1.64769    33.8     
16         10.994    0.25                        
17         14.282    0.70   1.80400    46.6    
18          8.321    2.50   1.48749    70.2     
19        -26.394    0.30                       
20          ∞     (可変)                        
21         42.902    0.70   1.48749    70.2      
22         15.115  (可変)                        
23         19.837    2.50   1.78590    44.2      
24        -30.070    0.60   1.94595    18.0
25       -228.445  (可変)                        
26          ∞       0.80   1.51633    64.1   
27          ∞       1.00                       
像面        ∞   
【００８６】
非球面データ
第6面
K = 1.03108e+002  A 4= 1.51950e-005  A 6=-4.06651e-008  A 8=-9.11050e-011  
第7面
K = 5.80956e-002  A 4=-2.38030e-005  A 6= 2.87087e-007  A 8=-5.53044e-009  
第13面
K = 5.43264e-002  A 4=-7.17815e-005  A 6=-5.61355e-007  A 8=-3.51757e-009  A10= 2.62605e-010  
第14面
K =-3.33931e+001  A 4= 7.99817e-005  A 6= 8.51467e-008  
各種データ
ズーム比     38.68 
広角     中間     望遠
焦点距離       3.80    10.30   147.00  
Fナンバー      2.62     4.19     5.94  
半画角（度）  40.58    20.62     1.51  
像高           3.25     3.88     3.88  
レンズ全長    90.76    87.72   149.92  
BF             9.62    15.55    14.72  
d 5            0.50    11.17    69.34  
d11           28.45    14.42     0.50  
d12           12.59     1.42     1.40  
d20            2.04     3.92    15.00  
d22            3.94     7.63    15.35  
d25            8.09    14.02    13.19  
ズームレンズ群データ
群  始面    焦点距離  
1    1      91.18        
2    6      -8.77        
3   13      17.51         
4   21     -48.27        
5   23      26.00        
【００８７】
［数値実施例６］
面データ
面番号       r        d      nd         νd    
1        123.178    1.00   1.80610    33.3      
2         53.710    5.65   1.49700    81.5      
3       -151.935    0.18                        
4         46.687    3.00   1.59282    68.6      
5        136.973  (可変)                         
6*       224.284    0.70   1.88300    40.8      
7*         8.432    4.48                        
8        -34.395    0.50   1.80400    46.6      
9         28.199    0.20                      
10         16.766    2.00   1.94595    18.0      
11         85.065  (可変)                     
12(絞り)    ∞     (可変)                    
13*         9.843    3.00   1.55332    71.7    
14*       -71.895    2.09                         
15         24.025    0.50   1.64769    33.8 
16         11.017    0.35                     
17         17.894    0.50   1.80400    46.6   
18          7.506    2.40   1.48749    70.2      
19        -45.320    0.30                          
20       -512.184    0.50   1.43875    94.9        
21         40.427    0.50                          
22          ∞     (可変)                     
23         26.209    1.50   1.48749    70.2        
24         34.836  (可変)                          
25         28.083    2.50   1.74950    35.3      
26        -23.563    0.50   1.94595    18.0       
27        -89.484  (可変)                     
28          ∞       0.80   1.51633    64.1       
29          ∞       1.00                      
像面        ∞   
【００８８】
非球面データ
第6面
K =-1.05448e+004  A 4= 1.39626e-005  A 6= 3.87206e-007  A 8=-9.23386e-009  A10= 3.70772e-011  A12= 6.86907e-014  
第7面
K = 1.28834e-002  A 4=-1.05471e-004  A 6= 3.73155e-006  A 8=-1.97267e-008  A10=-1.10223e-009  A12= 6.60991e-012  
第13面
K =-6.17378e-001  A 4= 2.53617e-005  A 6=-2.27818e-006  A 8=-1.35745e-008  A10= 2.62605e-010  
第14面
K = 1.36688e+002  A 4= 1.10383e-004  A 6=-1.99129e-006  
各種データ
ズーム比     43.46 
広角     中間     望遠
焦点距離       4.30    12.73   187.00  
Fナンバー      2.87     5.00     7.07  
半画角（度）  37.76    16.94     1.19  
像高           3.33     3.88     3.88  
レンズ全長    93.83    95.36   140.56  
BF            10.73    18.99    16.11  
d 5            0.78    16.76    62.40  
d11           32.19    12.78     0.84  
d12           12.02     5.16    -0.50  
d22            1.90     6.25     3.74  
d24            3.60     2.81    25.35  
d27            9.20    17.46    14.58  
ズームレンズ群データ
群  始面    焦点距離  
1    1      79.98         
2    6      -9.17         
3   13      23.26      
4   23     205.38       
5   25      34.74     
【００８９】
［数値実施例７］
面データ
面番号       r        d      nd         νd     
1        110.420    0.50   1.88300    40.8       
2         49.370    6.95   1.59282    68.6    
3      -1197.279    0.18                       
4         46.135    4.25   1.43875    94.9     
5        219.343  (可変)                      
6*      3857.846    0.50   1.88300    40.8     
7*         8.384    5.38                        
8        -37.530    0.50   1.77250    49.6       
9         26.886    0.20                    
10         18.126    2.00   2.00178    19.3      
11        104.140  (可変)                      
12(絞り)    ∞     (可変)                     
13*        10.094    3.00   1.55332    71.7    
14*       -75.681    1.46                         
15         26.802    0.50   1.64769    33.8  
16         10.724    0.37                          
17         13.612    0.50   1.74320    49.3        
18          7.503    3.45   1.45600    90.3        
19*       -36.264  (可変)                         
20         51.283    0.50   1.51633    64.1        
21         16.483  (可変)                         
22         24.725    2.40   1.78590    44.2      
23        -29.675    0.50   1.92286    18.9      
24        -86.407  (可変)                       
25          ∞       0.50   1.51633    64.1     
26          ∞       0.50                     
像面        ∞   
【００９０】
非球面データ
第6面
K = 9.27342e+004  A 4= 3.81002e-005  A 6=-3.08623e-007  A 8= 9.42749e-010  
第7面
K =-1.01331e-001  A 4= 2.19036e-005  A 6= 1.40543e-006  A 8=-2.72919e-008  
第13面
K =-8.51411e-002  A 4=-1.17522e-004  A 6=-1.30376e-007  A 8=-2.15967e-008  A10= 2.62605e-010  
第14面
K =-3.49998e+001  A 4=-2.57554e-005  A 6=-4.66479e-007  
第19面
K =-1.12299e+000  A 4= 1.68053e-006  A 6= 6.56435e-007  A 8= 1.63883e-009  
各種データ
ズーム比     94.44 
広角     中間     望遠
焦点距離       3.60    14.51   340.00  
Fナンバー      3.50     5.00     9.00  
半画角（度）  42.12    14.95     0.65  
像高           3.25     3.88     3.88  
レンズ全長    96.08    97.57   165.58  
BF            10.48    21.86     2.28  
d 5            0.50    20.50    79.15  
d11           29.12     9.42     1.17  
d12           17.55     2.60     0.00  
d19            2.28     2.57    11.94  
d21            2.85     7.32    37.74  
d24            9.65    21.03     1.45  
ズームレンズ群データ
群  始面    焦点距離  
1    1      98.89        
2    6      -9.14        
3   13      18.17         
4   20     -47.27         
5   22      26.66        
【００９１】
［数値実施例８］
面データ
面番号       r        d      nd         νd      
1        102.198    1.65   1.80610    33.3      
2         43.523    4.27   1.49700    81.5     
3       -479.207    0.18                        
4         43.250    3.23   1.60311    60.6     
5        269.552  (可変)                         
6        148.149    0.85   1.88300    40.8   
7          8.622    4.51                        
8        -30.162    0.70   1.77250    49.6  
9         29.416    0.20                        
10         17.772    2.04   1.92286    18.9    
11        153.705  (可変)                      
12(絞り)    ∞     (可変)                          
13*         9.420    2.77   1.55332    71.7        
14*      -114.449    1.96                          
15         47.072    0.60   1.64769    33.8        
16          9.324    0.35                        
17         14.499    0.70   1.84666    23.9       
18         11.939    1.88   1.51633    64.1       
19        -21.144    0.30                     
20          ∞     (可変)                      
21         74.328    0.70   1.48749    70.2    
22         13.662  (可変)                          
23         17.336    2.09   1.83481    42.7  
24        -66.281    0.60   1.94595    18.0       
25        112.658  (可変)                         
26          ∞       0.80   1.51633    64.1    
27          ∞       1.00                       
像面        ∞   
【００９２】
非球面データ
第13面
K =-2.35062e-001  A 4=-2.53973e-005  A 6= 1.44411e-007  A 8= 3.99784e-009  A10= 2.62605e-010  
第14面
K =-1.15907e+002  A 4= 1.05998e-004  A 6= 2.39812e-007  
各種データ
ズーム比     31.67 
広角     中間     望遠
焦点距離       4.42    13.40   140.00  
Fナンバー      3.50     4.20     5.98  
半画角（度）  37.01    16.13     1.59  
像高           3.33     3.88     3.88  
レンズ全長    85.44    80.40   120.55  
BF             9.75    15.41     7.61  
d 5            0.78    11.82    54.64  
d11           29.21    12.36     0.99  
d12           10.34     0.99     0.45  
d20            2.18     5.53     7.62  
d22            3.32     4.42    19.39  
d25            8.22    13.88     6.08  
ズームレンズ群データ
群  始面    焦点距離  
1    1      73.93      
2    6      -9.74       
3   13      16.31    
4   21     -34.47     
5   23      25.80     
【００９３】
【表１】
0005675680.tif 000002
【符号の説明】
【００９４】
Ｌ１…第１レンズ群
Ｌ２…第２レンズ群
Ｌ３…第３レンズ群
Ｌ４…第４レンズ群
Ｌ５…第５レンズ群
ＬＲ…後群
【図１】
0005675680.tif 000003
【図２】
0005675680.tif 000004
【図３】
0005675680.tif 000005
【図４】
0005675680.tif 000006
【図５】
0005675680.tif 000007
【図６】
0005675680.tif 000008
【図７】
0005675680.tif 000009
【図８】
0005675680.tif 000010
【図９】
0005675680.tif 000011
【図１０】
0005675680.tif 000012
【図１１】
0005675680.tif 000013
【図１２】
0005675680.tif 000014
【図１３】
0005675680.tif 000015
【図１４】
0005675680.tif 000016
【図１５】
0005675680.tif 000017
【図１６】
0005675680.tif 000018
【図１７】
0005675680.tif 000019